(57)【要約】【課題】容器内に収容した液体等の内容物中に、容易に水素ガスを溶解させられる容器及びキャップを提供する。【解決手段】内部に水素ガスを充填させた密封袋３により、容器１内の内容物中に水素ガスを溶解させるための容器１は、内容物を収容する容器本体１０と、容器本体１０に蓋をするキャップ１１と、密封袋３を割るための尖状突起２ａを備えた尖状突起体２とを有する。容器本体１０は、キャップ１１によって閉止される開口部１０ａと内容物を収容する収容部１０１とからなり、キャップ１１は、天板部１１１と、天板部１１１の周縁から垂下した筒状周壁部１１２と、密封袋３を装填可能な装填部１１３とからなる。尖状突起体２が、天板部１１１の内側に取り付けられると共に、装填部１１３に密封袋３を装填した状態で、容器本体１０の開口部１０ａをキャップ１１で閉止させることにより、尖状突起２ａにより密封袋３が割られ、水素ガスが内容物中に溶解する。【選択図】図１
2014043278.tif 000002
【特許請求の範囲】
【請求項１】
内容物を収容した容器に蓋をすると共に、内部に水素ガスを充填させた密封袋により、容器内の内容物中に水素ガスを溶解させるためのキャップであって、
天板部と、
上記天板部の周縁から垂下した第一の筒状周壁部と、
上記天板部と上記第一の筒状周壁部によって囲われると共に一端側が開口し、内部に上記密封袋を装填可能な略筒状の装填部と、
上記密封袋を割るための尖状突起体と、からなり、
上記尖状突起体は、上記装填部内に設けられ、
上記装填部に上記密封袋を装填した状態で、上記容器本体の開口部を閉止することにより、上記尖状突起によって上記密封袋が割られ、上記容器本体内に上記水素ガスが充填されて上記水素ガスが上記内容物中に溶解する、
ことを特徴とする水素ガス入り密封袋を用いた水素充填用キャップ。
【請求項２】
上記尖状突起体は、上記装填部の一端開口部近傍に設けられており、
上記尖状突起体には、水素ガスを上記容器内に通すための通気孔が設けられている、
請求項１記載の水素ガス入り密封袋を用いた水素充填用キャップ。
【請求項３】
上記天板部と上記第一の筒状周壁部は別部材によって構成され、
上記天板部には、上記第一の筒状周壁部によって囲われた装填部内に挿し込まれる挿込部が設けられており、
上記装填部に上記密封袋を装填した状態で、上記容器本体の開口部に上記第一の筒状周壁部を取り付けると共に、上記天板部の挿込部を上記第一の筒状周壁部内の装填部に挿し込むことにより、上記挿込部によって上記尖状突起に押し当てられた上記密封袋が割られ、上記容器本体内に上記水素ガスが充填されて上記水素ガスが上記内容物中に溶解する、
請求項１又は２記載の水素ガス入り密封袋を用いた水素充填用キャップ。
【請求項４】
上記密封袋は、上記水素ガスを透過させない水素非透過性材料からなる、
請求項１乃至３いずれかの項に記載の水素ガス入り密封袋を用いた水素充填用キャップ。
【請求項５】
内部に水素ガスを充填させた密封袋により、容器内の内容物中に水素ガスを溶解させるための容器であって、
内容物を収容する容器本体と、
容器本体に蓋をする略筒状のキャップと、
上記密封袋を割るための尖状突起を備えた尖状突起体と、を有し、
上記容器本体は、
キャップによって閉止される開口部と、
内容物を収容する収容部と、からなり、
上記キャップは、
天板部と、
上記天板部の周縁から垂下した第一の筒状周壁部と、
上記天板部と上記第一の筒状周壁部によって囲われ、上記密封袋を装填可能な装填部と、からなり、
上記尖状突起体が、上記尖状突起を上記容器本体側に向けて上記天板部の内側に取り付けられると共に、上記装填部に上記密封袋を装填した状態で、上記容器本体の開口部を上記キャップで閉止させることにより、上記尖状突起により上記密封袋が割られ、上記容器本体内に上記水素ガスが充填されて上記水素ガスが上記内容物中に溶解する、
ことを特徴とする水素ガス入り密封袋を用いた水素充填用容器。
【請求項６】
上記尖状突起体には、水素ガスを通すための通気孔が設けられており、
上記尖状突起体が、上記尖状突起を上記キャップ側に向けて上記容器本体の開口部に取り付けられると共に、上記装填部に上記密封袋を装填した状態で、上記容器本体の開口部を上記キャップで閉止させることにより、上記尖状突起により上記密封袋が割られ、上記通気孔を介して上記収容部へ導かれた上記水素ガスが上記内容物中に溶解する、
請求項５記載の水素ガス入り密封袋を用いた水素充填用容器。
【請求項７】
上記尖状突起体は、上記キャップの天板部の内側に、上記キャップと一体的に取り付けられている、
請求項５記載の水素ガス入り密封袋を用いた水素充填用容器。
【請求項８】
上記容器本体の開口部は、両端が開口した第二の筒状周壁部の一端側に形成されており、
上記第二の筒状周壁部の内側には、上記開口部から上記収容部に向かって条溝が設けられている、
請求項５乃至７いずれかの項に記載の水素ガス入り密封袋を用いた水素充填用容器。
【請求項９】
上記密封袋は、上記水素ガスを透過させない水素非透過性材料からなる、
請求項５乃至８いずれかの項に記載の水素ガス入り密封袋を用いた水素充填用容器。
【発明の詳細な説明】
【技術分野】
【０００１】
本発明は、容器内に水素ガスを充填し、容器内に収容した内容物中に水素ガスを溶解させられる容器に関する。
【背景技術】
【０００２】
近年、水やお茶といった飲料に水素ガスを充填した清涼飲料水などが販売されている。これは、液体に充填させた水素ガスを摂取することにより、人間の体内に存在する活性酸素を還元させることを目的としている。
【０００３】
活性酸素は、クエン酸サイクルでＡＴＰ（アデノシン三リン酸）を作り出すときに重要な役割を果たすなど、生命維持に必須であるとともに、体内へ侵入してきた異物を排除する役割も担っていることが判ってきている。しかしながらその一方において、生体内の反応で用いられなかった余剰の活性酸素は通常、細胞内に存在する酵素によって分解されるが、分解しきれなかった分は細胞を損傷させてしまう。その結果、癌や生活習慣病などの疾病、及び老化などを招来する原因となっている。そのため、余分な活性酸素は排除することが健康のためによいと考えられている。
【０００４】
また、活性酸素の還元に水素ガスが用いられているのは、水素の分子量が極めて小さく体内に吸収しやすいこと、及び、水素と活性酸素が反応しても水は発生するに過ぎず、安全性が高いこと等が理由である。
【０００５】
このように、特段の害もなく、病気予防や健康増進につながると考えられる水素水の病理学的な有効性については、非特許文献１〜１０など多くの学術誌等で報告されており、枚挙にいとまがない。
【０００６】
上述のとおり、水素ガスの摂取は、病気予防や健康増進といった有用な効果を奏する反面、水素ガスを液体中に溶解させた後、そのまま高い溶存水素量を維持することは難しい。例えば、ＰＥＴ（ポリエチレンテレフタラート）ボトル等のプラスチック容器内に、水素ガスを充填した水を保存した場合には、密封した状態であっても数日間で大部分の水素が抜けてしまい、これを摂取しても高い効能を得えることができない。
【０００７】
この点、特許文献１では、可撓性の外装を有する液体容器に水素分子を溶解させた液体を内包させ、前記液体容器の一部又は全体に対して加圧部材を取り付け、外部から圧力を加えた状態を保つことにより、溶存水素量を維持する方法が提案されている。
【先行技術文献】
【非特許文献】
【０００８】
【非特許文献１】「Nature Medicine, 2007, Vol.13, p688〜694」
【非特許文献２】「Biochem. Biophys. Res. Comm., 411(2011), 143-149」、T. Itoh et al.（岐阜国際バイオ研究所、近畿大学、中部大学、名古屋大学他）
【非特許文献３】「Nutrition Research, 28(2008)p137〜143」、梶山静夫他（梶山内科クリニック、京都府立医大、他）
【非特許文献４】「BJ. Heart and Lung Transplantation」、Atsunori Nakao et al.（ピッツバーグ大学、クリーブランドクリニック他）
【非特許文献５】「アンチ・エイジング医学−日本抗加齢医学会雑誌、Vol.4, No.1, p117-122」、小山勝弘他（山梨大学教育人間科学部及び医学工学総合研究部、松下電工（株）電器Ｒ＆Ｄセンター）
【非特許文献６】「Exp. Oncology, 2009, 31, p156-162」Y. Saito’広島県立大学
【非特許文献７】「実験医学、Mol.26, No.13(8月号), p2074〜2080, 2008」太田成男、大沢郁朗ら（日本医科大学）
【非特許文献８】「Investigative Ophthalmology & Visual Sci. 2010, 51, p487〜492」Hideaki Oharazawaet al.（日本医科大学）
【非特許文献９】「Science, New Series, 190, 4210 (Oct. 10, 1975), p152〜154」M. Dole （Baylor大学、米国）
【非特許文献１０】「Life Sci. 324 (2001) p729〜714」B. Ghrib et al （Mediterranee大学、フランス）
【特許文献】
【０００９】
【特許文献１】特開２０１１−１３６７２７号公報
【発明の概要】
【発明が解決しようとする課題】
【００１０】
上記特許文献１記載の技術は、気体の溶解度と圧力の比例関係（ヘンリーの法則）に着目して、水素を溶解させた液体を入れた容器に外部から圧力を加えておくことで、液体中の溶存水素量を高い状態に維持しようとしている。
【００１１】
しかしながら、この方法を採用する場合、容器に対して圧力を加えておくための機構が必要になる。また、容器の材料は、この圧力に耐え得るものでなければならないし、外部からの圧力を内部圧力に転化させることのできる可撓性材料である必要がある。さらには、液体を入れておく容器自体について、その密閉性が高い、あるいは気体の透過性が低くないと、外部圧力によって逆に、液体中の水素ガスを外部に漏出又は透過させてしまうおそれがある。
【００１２】
そこで、本発明は、容器内に収容した液体等の内容物中に、容易に水素ガスを溶解させられる容器を提供することを目的とする。
【課題を解決するための手段】
【００１３】
上記目的を達成するため、本発明に係る水素ガス入り密封袋を用いた水素充填用キャップは、内容物を収容した容器に蓋をすると共に、内部に水素ガスを充填させた密封袋により、容器内の内容物中に水素ガスを溶解させるためのキャップであって、天板部と、上記天板部の周縁から垂下した第一の筒状周壁部と、上記天板部と上記第一の筒状周壁部によって囲われると共に一端側が開口し、内部に上記密封袋を装填可能な略筒状の装填部と、上記密封袋を割るための尖状突起体と、からなり、上記尖状突起体は、上記装填部内に設けられ、上記装填部に上記密封袋を装填した状態で、上記容器本体の開口部を閉止することにより、上記尖状突起によって上記密封袋が割られ、上記容器本体内に上記水素ガスが充填されて上記水素ガスが上記内容物中に溶解することを特徴とする。
【００１４】
また、上記尖状突起体は、上記装填部の一端開口部近傍に設けられており、上記尖状突起体には、水素ガスを上記容器内に通すための通気孔が設けられているものとしてもよい。
【００１５】
また、上記天板部と上記第一の筒状周壁部は別部材によって構成され、上記天板部には、上記第一の筒状周壁部によって囲われた装填部内に挿し込まれる挿込部が設けられており、上記装填部に上記密封袋を装填した状態で、上記容器本体の開口部に上記第一の筒状周壁部を取り付けると共に、上記天板部の挿込部を上記第一の筒状周壁部内の装填部に挿し込むことにより、上記挿込部によって上記尖状突起に押し当てられた上記密封袋が割られ、上記容器本体内に上記水素ガスが充填されて上記水素ガスが上記内容物中に溶解するものとしてもよい。
【００１６】
また、本発明の別の観点に係る水素ガス入り密封袋を用いた水素充填用容器は、内部に水素ガスを充填させた密封袋により、容器内の内容物中に水素ガスを溶解させるための容器であって、内容物を収容する容器本体と、容器本体に蓋をする略筒状のキャップと、上記密封袋を割るための尖状突起を備えた尖状突起体と、を有し、上記容器本体は、キャップによって閉止される開口部と、内容物を収容する収容部と、からなり、上記キャップは、天板部と、上記天板部の周縁から垂下した第一の筒状周壁部と、上記天板部と上記第一の筒状周壁部によって囲われ、上記密封袋を装填可能な装填部と、からなり、上記尖状突起体が、上記尖状突起を上記容器本体側に向けて上記天板部の内側に取り付けられると共に、上記装填部に上記密封袋を装填した状態で、上記容器本体の開口部を上記キャップで閉止させることにより、上記尖状突起により上記密封袋が割られ、上記容器本体内に上記水素ガスが充填されて上記水素ガスが上記内容物中に溶解することを特徴とする。
【００１７】
また、上記尖状突起体には、水素ガスを通すための通気孔が設けられており、上記尖状突起体が、上記尖状突起を上記キャップ側に向けて上記容器本体の開口部に取り付けられると共に、上記装填部に上記密封袋を装填した状態で、上記容器本体の開口部を上記キャップで閉止させることにより、上記尖状突起により上記密封袋が割られ、上記通気孔を介して上記収容部へ導かれた上記水素ガスが上記内容物中に溶解するものとしてもよい。
【００１８】
また、上記尖状突起体は、上記キャップの天板部の内側に、上記キャップと一体的に取り付けられているものとしてもよい。
【００１９】
また、上記容器本体の開口部は、両端が開口した第二の筒状周壁部の一端側に形成されており、上記第二の筒状周壁部の内側には、上記開口部から上記収容部に向かって条溝が設けられているものとしてもよい。
【００２０】
また、上記密封袋は、上記水素ガスを透過させない水素非透過性材料からなるものとしてもよい。
【発明の効果】
【００２１】
本発明によれば、容器内に収容した液体等の内容物中に、容易に水素ガスを溶解させることができる。
【図面の簡単な説明】
【００２２】
【図１】本発明の実施形態に係る水素ガス入り密封袋を用いた水素充填用容器を示す断面図である。
【図２】本実施形態に係る水素ガス入り密封袋を用いた水素充填用容器を示す断面図である。
【図３】本実施形態に係る水素ガス入り密封袋を用いた水素充填用容器に用いられる尖状突起体を示す図であって、（ａ）平面図、（ｂ）斜視図である。
【図４】本発明の別の実施形態に係る水素ガス入り密封袋を用いた水素充填用容器を示す平面図である。
【図５】本発明の実施形態に係る水素ガス入り密封袋を用いた水素充填用キャップを示す断面図である。
【発明を実施するための形態】
【００２３】
次に、本発明の実施形態に係る水素ガス入り密封袋を用いた水素充填用容器について、図を参照して説明する。
図１に示されるように、本発明の実施形態に係る容器１は、ボトル状の容器であって、飲料等の液体を収容する容器本体１０と、容器本体１０の開口部を閉止するキャップ１１とから構成される。
【００２４】
この容器１は、ＰＥＴ（Polyethylene Terephthalate）などの合成樹脂材料を用いることができるが、好適には、水素ガスが外部に透過するのを防ぐべく、水素ガスの透過性が低い、あるいは水素ガスを透過させない材料が用いられる。このようなものとしては例えば、アルミやスチールなどが用いられる。
なお、容器中に収容する内容物は特に限定されることはないが、本実施形態では、飲料等の液体を想定した場合により説明する。
【００２５】
容器本体１０は、内部が中空の容器であって、液体等の内容物を収容するための収容部１０１と、収容部１０１から窄まって略円筒状に形成された筒状周壁部１０２とからなり、筒状周壁部１０２の開口端部は、収容部１０１内の内容物を注ぎ入れたり出したりするための開口部１０ａを構成する。
【００２６】
筒状周壁部１０２は、その外径がキャップ１１の筒状周壁部１１２の内径に対応しており、その外周面には雄ネジが形成されている。この筒状周壁部１０２の雄ネジは、キャップ１１の筒状周壁部１１２の内周面に形成された雌ネジと螺合可能に設けられており、キャップ１１の雌ネジを螺合させることで、キャップ１１が容器本体１０に被着され、開口部１０ａが閉止される。
【００２７】
キャップ１１は、容器本体１０の開口部１０ａを閉止するための蓋である。
このキャップ１１は、開口部１０ａに対応して円形状に形成された天板部１１１と、天板部１１１の周縁から垂下した筒状周壁部１１２とからなる。
【００２８】
筒状周壁部１１２は、その内径が容器本体１０の筒状周壁部１０２の外径に対応しており、その内周面には雌ネジが形成されている。この筒状周壁部１１２の雌ネジは、容器本体１０の筒状周壁部１０２の外周面に形成された雄ネジと螺合可能に設けられており、容器本体１０の筒状周壁部１０２の雄ネジを螺合させることで、キャップ１１が容器本体１０に被着され、開口部１０ａが閉止される。
なお、本実施形態では、容器本体１０とキャップ１１の被着構造について、容器本体１０側に雄ネジを設け、キャップ１１側に雌ネジを設けるものとしたが、逆に、容器本体１０側に雌ネジを設け、キャップ１１側に雄ネジを設けるものとしてもよい。
【００２９】
天板部１１１と筒状周壁部１１２によって囲われた略円柱状の空間は、水素ガスが充填された密封袋３を装填するための装填部１１３を構成している。
【００３０】
以上の容器１を用いて、内容物に水素ガスを溶解させる際には、キャップ１１の天板部１１１の内側に、水素ガスが充填された密封袋３を割るための尖状突起体２が取り付けられる。
尖状突起体２は略円錐形状からなり、中心部に尖状突起２ａが形成されている。さらにこの尖状突起体２は使用の際、略円錐形状の底面部が天板部１１１に取り付けられ、尖状突起２ａが装填部１１３側に向けられる。
【００３１】
また、内容物に溶解させる水素ガスは密封袋３に充填されており、この水素ガスが充填された密封袋は、使用時にキャップ１１の装填部１１３に装填される。
この密封袋３は、水素ガスが透過しにくい、又は水素ガスを透過させない水素非透過性フィルムからなる。このような水素非透過性フィルムには例えば、アルミ箔などの単体で水素ガスを透過しにくい、あるいは透過させない素材からなるフィルムのほか、シリコーンゴム、ＳＢＲ（スチレン-ブタジエンゴム）、ＥＰＤＭ（エチレン-プロピレンゴム）、ＰＥ（ポリエチレン）、ＰＥＴ（ポリエチレンテレフタラート）、ＬＤＰＥ（低密度ポリエチレン）、ＰＰ（ポリプロピレン）、ナイロン等などの各種の合成樹脂フィルムに対し、アルミニウム蒸着膜、酸化アルミニウム蒸着膜又はシリカ蒸着膜などが積層された積層フィルムなどが用いられる。
なお、この密封袋３は例えば、両端が開口した筒状のフィルムの両端をラミネートして袋状にしたものであり、ラミネートして密封状態とする前に予め水素ガスを充填しておくことで、水素ガスが密封充填された密封袋１が作製される。
【００３２】
また、この密封袋３は、その大きさが装填部１１３の大きさに合わせて作製されており、装填部１１３内に装填するとちょうど嵌まり込んで抜けにくいようになっている。このような大きさに設けられているため、キャップ１１を容器本体１０に被着させた際、容器本体１０の筒状周壁部１０２の内径よりも、キャップ１１の筒状周壁部１１２の内径の方が大きいことから、密封袋１は容器本体１０の筒状周壁部１０２（開口部１０ａの縁）に引っかかり、収容部１０１内へ落下しないようになっている。
【００３３】
以上により説明した容器１、尖状突起体２、及び密封袋３を用いて、容器１の収容部１０１内に収容した内容物に水素ガスを透過させる工程について説明する。
まず、キャップ１１の天板部１１１の内側に、尖状突起体２を取り付ける。この際、尖状突起体２の尖状突起２ａが、装填部１１３側を向くように取り付ける。
【００３４】
次に、装填部１１３内に、水素ガスが密封充填された密封袋３を装填する。この際、密封袋３が尖状突起２ａにより割れてしまわないよう、強く押し込みすぎないようにする。
【００３５】
それから、キャップ１１に形成されている雌ネジと、容器本体１０に形成されている雄ネジとを螺合させ、キャップ１１を容器本体１０に被着させていく。
このとき、装填部１１３内に装填された密封袋３は、容器本体１０に筒状周壁部１０２の縁に引っかかり、収容部１０１内に落ちることなく、装填部１１３の奥へ押し込まれる。
【００３６】
密封袋３が装填部１１３の奥へ押し込まれると、密封袋３は尖状突起体２の尖状突起２ａに押し付けられることとなり、やがて尖状突起２ａによって割られる。こうして密封袋３が割れると、内部から水素ガスが漏出し始める。
そのままキャップ１１を容器本体１０に完全に被着させると、容器１から水素ガスが漏出することなく容器１内に水素ガスが充填され、これにより、収容部１０１内の内容物に水素ガスが溶解する。
なお、割れた密封袋３から漏出し、容器１内に充填された水素ガスを、収容部１０１内の内容物に早く溶解させるために、キャップ１１を容器本体１０に被着させた状態で容器１を振ってもよい。
【００３７】
以上により、使用時までは密封袋３によって水素ガスを外に逃がすことなく保持しておき、使用の際には、キャップを締めるだけで容易に密封袋３を破って、容器１内に水素ガスを充填し、内容物中に水素ガスを溶解させることができる。
【００３８】
なお、以上の本実施形態においては、予め、キャップ１１に尖状突起体２が取り付けられているものとしてもよい。
【００３９】
また、以上の本実施形態では、密封袋３を割る際、キャップ１１の天板部１１１の内側に尖状突起体２を取り付けるものとしたが、図２に示されるように、容器本体１０の開口部１０ａに尖状突起体４を取り付けるものとしてもよい。
【００４０】
尖状突起体４は、尖状突起体２と同様に略円錐形状からなり、中心部に尖状突起４ａが形成されているが、図３に示されるように通気孔４ａが形成されている。
通気孔４ａは、密封袋３から漏出する水素ガスを通すために設けられた孔である。
この尖状突起体４は使用の際、略円錐形状の底面部を載置して取り付けられ、尖状突起４ａが装填部１１３側に向けられる。
【００４１】
この尖状突起体４、及び容器１と密封袋３を用いて、容器１の収容部１０１内に収容した内容物に水素ガスを透過させる工程について説明する。
まず、装填部１１３内に、水素ガスが密封充填された密封袋３を装填する。
【００４２】
次に、筒状周壁部１０２の開口部１０ａ側の縁上に、尖状突起体４を載置して取り付ける。この際、尖状突起体４の尖状突起４ａが、装填部１１３側を向くよう載置する。
それから、キャップ１１に形成されている雌ネジと、容器本体１０に形成されている雄ネジとを螺合させ、キャップ１１を容器本体１０に被着させていく。
【００４３】
これにより、密封袋３は天板部１１１と尖状突起体２に挟み込まれ、やがて尖状突起４ａによって割られる。こうして密封袋３が割れると、内部から水素ガスが漏出し始める。
密封袋３から漏出した水素ガスは、通気孔４ｂを介して、装填部１１３から収容部１０１内へ流れていく。
【００４４】
そのままキャップ１１を容器本体１０に完全に被着させると、容器１から水素ガスが漏出することなく容器１内に水素ガスが充填され、これにより収容部１０１内の内容物に水素ガスが溶解する。
なお、既述のとおり、収容部１０１内の内容物に、割れた密封袋３から漏出した水素ガスを早く溶解させるためには、キャップ１１を容器本体１０に被着させた状態で容器１を振ってもよい。
【００４５】
また、以上の本実施形態において、尖状突起２、４によって密封袋３が割られ、密封袋３から漏出する水素ガスを、密封袋３が装填された装填部１１３から収容部１０１内へより効果的に通すため、容器本体１０に水素ガスを通すための溝を設けるものとしてもよく、その構造を図４に示す。
【００４６】
図４に示されるように、容器本体５は、容器本体１０と同様、収容部５０１と筒状周壁部５０２とからなり、開口部５０ａを有している。一方、筒状周壁部５０２の内側には、開口部５０ａから収容部５０１内に向かって条溝５１１が形成されている。
【００４７】
この条溝５１１により、装填部１１３内の密封袋３が尖状突起体２、４によって割られた際、水素ガスの通気路が確保される。
特に、尖状突起２を天板部１１１に取り付けて密封袋３を割った場合、水素ガスが漏出する孔は上部に形成されるため、密封袋３そのものによって、水素ガスの収容部１０１内への流れ込みが妨げられやすい。これに対して、筒状周壁部５０２に、収容部１０１に通じる条溝５１１が形成されていることで、水素ガスの通り道ができ、これによって、収容部１０１内へ水素ガスが流れ込みやすくなっている。
【００４８】
なお、以上の実施形態では、容器１は、ボトル状の容器の場合を説明したが、キャップ１１と、容器本体１０の開口部１０ａ（筒状周壁部１０２）とが、上記のように構成していれば、収容部１０１はフィルム等を用いたパウチなどであってもよい。
【００４９】
また、容器本体１０にキャップ１１を被着させる際、水素ガスを密封充填した密封袋３をねじ切ったり圧迫したりすることによって密封袋３を割り、内部に充填された水素ガスを収容部１０１内に漏出させることができれば、他の実施形態をとることもできる。例えば、容器１について、尖状突起体２を設けることなく、装填部１１３のサイズの密封袋３を装填部１１３に装填し、キャップ１１を開口部１０ａに被着させる際、密封袋３は天板部１１１と開口部１０ａの縁との間に挟み込ませて密封袋３を圧迫することにより、密封袋３を割るようにしてもよい。また、その他の例では、密封袋３を装填部１１３の筒状周壁部１１３に部分的に貼り付けておき、キャップ１１を捻る動作に応じて、密封袋３がねじ切られるようにすることもできる。
【００５０】
また、以上の実施形態では、水素ガスを密封充填した密封袋３を容易に割るため、尖状突起体２、４を用い、内容物中に水素ガスを溶解させるようにした。これに対して例えば、密封袋の素材に、水素ガスを透過しにくい、あるいは水素ガスを透過させない素材であって、人の力で容易に割ることのできる素材を用いると共に、内容物を収容する容器に、合成樹脂等の可撓性を有するフィルムからなるパウチを用いることで、当該パウチ内に内容物と共に密封袋を入れ、パウチ外から密封袋を押圧して割ることも考えられる。これにより、容易に密封袋を割って、密封袋の内部に充填しておいた水素ガスを内容物中に溶解させることもできる。
【００５１】
続いて、本発明の実施形態に係る水素ガス入り密封袋を用いた水素充填用キャップについて説明する。
図５に示されるように、本発明の実施形態に係るキャップ６は、上述した飲料等の液体を収容する容器本体１０の開口部を閉止する蓋として構成される。
【００５２】
このキャップ６は、一端側が開口した略筒状の形状からなり、容器本体１０の開口部１０ａに対応して円形状に形成された天板部６１、筒状周壁部６２、及び尖状突起体６３からなる。
【００５３】
天板部６１は、円形状の平板状の平板部６１１と、当該平板部６１１１から突出すると共に、筒状周壁部６２の装填部６２１ａ内に挿込可能な挿込部６１２とからなる。
【００５４】
筒状周壁部６２は、その内径が容器本体１０の筒状周壁部１０２の外径に対応した略筒型形状からなり、筒状周壁部６２によって囲われた略円柱状の空間は、水素ガスが充填された密封袋３を装填するための装填部６２ａを構成している。
【００５５】
また、開口部近傍には、内周面に雌ネジが形成された螺合部６２１が設けられている。
この螺合部６２１の雌ネジは、容器本体１０の筒状周壁部１０２の外周面に形成された雄ネジと螺合可能に設けられており、容器本体１０の筒状周壁部１０２の雄ネジを螺合させることで、キャップ６が容器本体１０に被着され、開口部１０ａが閉止される。
なお、本実施形態では、容器本体１０とキャップ６の被着構造については、容器本体１０側に雌ネジを設け、キャップ６側に雄ネジを設けるものとしてもよい。
【００５６】
さらに、筒状周壁部６２の装填部６２ａ内には、円形状の尖状突起体６３が設けられている。
この尖状突起体６３には、密封袋３から漏出した水素ガスを容器本体１０内に導くための通気孔６３が中央に形成されている。また、通気孔６３ａの周りには、装填部６２ａ内へ先端が向けられた尖状突起６３ｂが設けられており、この尖状突起６３ｂにより、水素ガスが充填された密封袋３を割ることができる。
なお、尖状突起６３ｂの数は特に限定されることはないが、通気孔６３ａを中心として、線対称又は点対称に複数の尖状突起６３ａを設ければ、天板部６１を筒状周壁部６２内に挿し込むことによって、装填部６２ａ内に装填された密封袋３に尖状突起６３ａを押し当てる際、押し当てる力の偏りや加減によらず、割れやすくすることができる。
【００５７】
このような天板部６１と筒状周壁部６２は、挿込部６１２を筒状周壁部６２内に挿し込むことによって隙間なく一体化させることができる。
【００５８】
以上により説明したキャップ６を用いて、容器１の収容部１０１内に収容した内容物に水素ガスを透過させる工程について説明する。
まず、装填部６２ａ内に、水素ガスが密封充填された密封袋３を装填する。この際、密封袋３が尖状突起２ａにより割れてしまわないよう、強く押し込みすぎないようにする。
【００５９】
そして、キャップ６の螺合部６２１に形成されている雌ネジと、容器本体１０に形成されている雄ネジとを螺合させ、キャップ６の筒状周壁部６２を容器本体１０に被着させる。
【００６０】
続けて、筒状周壁部６２内に挿込部６１２を挿し込むことによって、天板部６１と筒状周壁部６２とを隙間なく一体化させる。
挿込部６１２が装填部６２ａ内に挿し込まれると、密封袋３は尖状突起体６３の尖状突起６３ｂに押し付けられることとなり、やがて尖状突起６３ｂによって割られる。こうして密封袋３が割れると、内部から水素ガスが漏出し始める。
密封袋３から漏出した水素ガスは、通気孔６３ａを介して、装填部６２ａから収容部１０１内へ流れていく。
【００６１】
以上により、上述の実施形態と同様、使用時までは密封袋３によって水素ガスを外に逃がすことなく保持しておき、使用の際には、キャップ６を締めるだけで容易に密封袋３を破って、容器１内に水素ガスを充填し、内容物中に水素ガスを溶解させることができる。
【００６２】
なお、以上の本実施形態において、天板部６１の挿込部６１２に、装填部６２ａ側に先端が向けられた尖状突起６３ｂを設けるものとすることもできる。この場合も、挿込部６１２を装填部６２ａに挿し込むことにより、尖状突起６３ｂを密封袋３に押し当てて密封袋３を割り、通気孔６３ａを介して、水素ガスを容器１の収容部１０１内に導入させることができる。
【００６３】
また、本発明は、キャップ内に水素ガスが充填された密封袋を装填すると共に、当該キャップをボトルに被着させた被着させた状態で密封袋を割ることにより、ボトル内の液体等に水素ガスを溶解させることを特徴とし、かかる構成を実現するものは、本発明の思想に含まれものであって、例えば、尖状突起はキャップ内の側面等に設けられたものや、尖状突起以外の手段によって密封袋を割るものも本発明の思想に含まれる。
【産業上の利用可能性】
【００６４】
以上のとおり説明した容器１は、飲料等の液体のみならず、レトルト食品等の食品、ポテトチップス等の菓子、醤油等の調味料、点滴液や目薬などの医薬品、化粧水などの美容用品などにおいて、これらを封入する袋や容器として用いることができる。このような場面において本発明を応用することで、食品等の鮮度を保ったり、医薬品や美容用品の変質を防いだりすることができるほか、医薬品や美容用品等の効用も高まる。
【符号の説明】
【００６５】
１      容器
１０    容器本体
１０ａ  開口部
１０１  収容部
１０２  筒状周壁部
１１    キャップ
１１１  天板部
１１２  筒状周壁部
１１３  装填部
２      尖状突起体
２ａ    尖状突起
３      密封袋
４      尖状突起体
４ａ    尖状突起
４ｂ    通気孔
５０    容器本体
５０ａ  開口部
５０１  収容部
５０２  筒状周壁部
５１１  条溝
６      キャップ
６１    天板部
６１１  平板部
６１２  挿込部
６２    筒状周壁部
６２ａ  装填部
６２１  螺合部
６３    尖状突起体
６３ａ  通気孔
６３ｂ  尖状突起
【図１】
2014043278.tif 000003
【図２】
2014043278.tif 000004
【図３】
2014043278.tif 000005
【図４】
2014043278.tif 000006
【図５】
2014043278.tif 000007